(57)【要約】  本発明は、電動式のパーソナルケア装置を、特に、毛を取り除くための装置を、クリーニングするための液性の水性の組成物に関し、その組成物は、少なくとも一つのアルキルベンゼンスルホン酸塩；及び少なくとも一つの非イオン性の界面活性剤を含む。本発明は、さらに、前記の液性の組成物を調製するための方法に、及び、前記の液性の組成物の使用に、関する。【特許請求の範囲】
【請求項１】
電動式のパーソナルケア装置を、特に毛を取り除くための装置を、クリーニングするための液性の水性の組成物であって、該組成物は、少なくとも一つのアルキルベンゼンスルホン酸塩；及び少なくとも一つの非イオン性の界面活性剤を少なくとも含む、液性の組成物。
【請求項２】
前記組成物は、本質的にエタノールの無いものである、請求項１に記載の液性の組成物。
【請求項３】
少なくとも一つの陰イオン性の界面活性剤が、アルキルベンゼンスルホン酸塩からなる群より選択され、該アルキルベンゼンスルホン酸塩において、アルキルは、１０個から６０個までの炭素原子を、好ましくは１０個から１８個までの炭素原子を、より好ましくは１０個から１４個までの炭素原子を、含有する、請求項１又は２に記載の液性の組成物。
【請求項４】
少なくとも一つの非イオン性の界面活性剤が、
−  アルコール−Ｎ−ポリグリコールエーテル類であって、Ｎが、グリコールエーテル部位の数を表し、Ｎが好ましくは３−１０、より好ましくは５であるもの；及び
−  アルキルピロリドン類、好ましくは１−（Ｃ６−Ｃ１８）−２−ピロリドン類、より好ましくは１−（オクチル）−２−ピロリドン：からなる群より選択される、請求項１乃至３のいずれかに記載の液性の組成物。
【請求項５】
前記ポリグリコールエーテルのアルコール部位は、Ｃ６−Ｃ１２の一価の（イソ）アルコール部位、好ましくは（イソ）デカノール部位である、請求項４に記載の液性の組成物。
【請求項６】
少なくとも一つの１−（Ｃ６−Ｃ１８）−２−ピロリドン及び少なくとも一つのイソアルコール−Ｎ−ポリグリコールエーテルを含み、Ｎは、３−１０の範囲にある、請求項４又は５に記載の液性の組成物。
【請求項７】
（グリセロールのような）非油性の潤滑剤、芳香剤、（（アルコキシアルキルアルコキシ）−アルコール類のような）脂肪を取り除く薬剤、及び防腐剤からなる群より選択された少なくとも一つの添加剤を含む、請求項１乃至６のいずれかに記載の液性の組成物。
【請求項８】
アルキルベンゼンスルホン酸塩の濃度は、少なくとも０．０８重量％、好ましくは少なくとも０．４重量％、より好ましくは少なくとも０．７５重量％である、請求項１乃至７のいずれかに記載の液性の組成物。
【請求項９】
前記非イオン性の界面活性剤の濃度は、少なくとも０．００２重量％、好ましくは少なくとも０．０１重量％、より好ましくは０．０１重量％から０．２重量％までの範囲におけるもの、である、請求項１乃至８のいずれかに記載の液性の組成物。
【請求項１０】
前記水の含有率は、（総重量に基づいた）８０−９９．９重量％の範囲に、好ましくは９０−９９重量％の範囲に、ある、請求項１乃至９のいずれかに記載の液性の組成物。
【請求項１１】
毛を取り除くための電動式の装置をクリーニングするための方法であって、
−  該装置の毛を取り除く部分を、請求項１乃至１０のいずれかに記載の液性の組成物と接触させること；
−  自由選択で、該装置の毛を取り除く部分を動作させること；並びに
−  該装置の毛を取り除く部分からのくずが、該取り除く部分から解放することを可能にすること、
−  該装置の毛を取り除く部分及び該液性の組成物の接触を終えること
を含む、方法。
【請求項１２】
前記接触せることは、前記液性の組成物に切刃を浸漬させることを伴う、請求項１０に記載の方法。
【請求項１３】
請求項１乃至９のいずれかに記載の組成物を調製する方法であって、
前記アルキルベンゼンスルホン酸塩、前記非イオン性の界面活性剤、及び、−存在するとすれば、−前記添加剤と脱塩水を混合することを含む、方法。
【請求項１４】
液における毛の沈降を改善するための、クリーニング液における、好ましくは請求項１乃至１３のいずれか一項に定義されたもののような、陰イオン性の界面活性剤及び／又は非イオン性の界面活性剤の使用。
【請求項１５】
液及び毛を保持する容器の壁への毛の付着を低減する又は回避するための、クリーニング液における、好ましくは請求項１乃至１４のいずれか一項に定義されたもののような、陰イオン性の界面活性剤及び／又は非イオン性の界面活性剤の使用。
【発明の詳細な説明】
【技術分野】
【０００１】
本発明は、電動式のパーソナルケア装置を、特に電動式のカミソリを、クリーニングするための組成物に、及び、このような装置をクリーニングするための方法に、関する。
【背景技術】
【０００２】
独国特許出願公開第１０２２１３３５号明細書（特許文献１）は、溶媒としてのアルコール及び非イオン性の界面活性剤を含む、電動式のカミソリ用の液性のクリーニング溶液に関する。溶媒としてのアルコールを備えた溶液の欠点は、溶液の燃焼性、アルコールに関係付けられた健康危険度、カミソリに使用された、いくつかの材料との不相溶性、及び、溶媒の速い蒸発を含む。
【特許文献１】独国特許出願公開第１０２２１３３５号明細書
【発明の開示】
【発明が解決しようとする課題】
【０００３】
本発明の目的は、電動式のパーソナルケア装置をクリーニングするための新規なクリーニング組成物を提供することである。
【０００４】
本発明の目的は、特には、電動式のカミソリのような、電動式のパーソナルケア装置をクリーニングするためのアルコールを主材料としたクリーニング溶液の欠点の一つ以上を克服する新規なクリーニング組成物を提供することである。
【０００５】
ある態様において、本発明は、液が使用の間に保持されることがある容器の底へのくずの良好な沈降及び／又はこのような容器の壁へのくずの付着の低い傾向のような、クリーニング溶液における、装置から取り除かれた、毛、髭、及び他のくずの挙動における有利な効果を有する新規なクリーニング組成物を提供することを目的とする。
【課題を解決するための手段】
【０００６】
今、これらの目的の一つ以上が、異なる溶媒を主材料とした且つ特異的な組み合わせの界面活性剤を含む組成物によって達成されることを見出してきた。
【０００７】
それに応じて、本発明は、電動式のパーソナルケア装置を、特に毛及び／又は髭を取り除くための装置を、クリーニングするための液性の水性の組成物に関し、その組成物は、少なくとも一つのアルキルベンゼンスルホン酸塩；及び少なくとも一つの非イオン性の界面活性剤を含む。
【発明を実施するための最良の形態】
【０００８】
ある実施形態において、本発明に従った組成物は、直接的に、即ち、最終使用者による希釈を要求することなく、使用されることがある。これは、使用の容易さに関して好都合であるが、しかし、それによって、スケーリングの問題のリスクを、それは、水道水での希釈の結果であることがあるが、回避する又は少なくとも低減することができることもまた見出されてきた。
【０００９】
本発明に従った組成物は、一般に、可燃性の、取り扱うことが安全な、且つ、皮膚に対して安全なものである。
【００１０】
本発明に従った組成物は、使用の間に蒸発することの低い傾向を有する。
【００１１】
本発明に従った液性の組成物は、電動式のパーソナルケア装置から、くずを、−特に毛、髭、及び／又は、皮膚に由来するくずを−、取り除く際に有効であることが、見出されてきた。その組成物は、皮膚から毛を取り除くための装置をクリーニングすることに特に適切なことが見出されてきた。適切な装置は、バリカン（刈り込み用具、剪断機）、脱毛機、及びひげそりのような電動式のカミソリを含む。液性の組成物で装置をクリーニングするための適切な方法は、当技術において知られた、例．特定の装置用の指示ガイドに記載されたもののような、方法に基づいたものであることがある。
【００１２】
それに応じて、本発明は、また、電動式のパーソナルケア装置を、特に電動式のカミソリを、クリーニングするための、少なくとも一つの直鎖のアルキルベンゼンスルホン酸塩及び少なくとも一つの非イオン性の界面活性剤を含む水性の液性の組成物の使用に関する。
【００１３】
特に、本発明は、さらに、
−  装置の毛を取り除く部分を、上で定義されたような液性の組成物と接触させること；
−  自由選択で、装置の毛を取り除く部分を動作させること；並びに
−  装置の毛を取り除く部分からのくずが、その取り除く部分から解放することを可能にすること；
−  装置の毛を取り除く部分及び液性の組成物の接触を終えること
を含む、（髭を含む）毛を取り除くための電動式の装置をクリーニングする方法に関する。
【００１４】
その接触は、特に、液性の組成物の中に（カミソリの切刃のような）毛を取り除く部分を沈めることによって、実行されることがある。非常に良好な結果のためには、毛を取り除く部分は、通常、逆さまにして置かれる、即ち、それが、くずが装置の外に落下することを可能にするように置かれる。装置を置くことができる適切なシステムは、当技術において知られたものであり、且つ、装置と共に納品されることがある。
【００１５】
特に、本発明に従った組成物のような、少なくとも陰イオン性の界面活性剤及び／又は少なくとも一つの非イオン性の界面活性剤を含む組成物が、適度にクリーニングするだけでなく、クリーニングされるものである装置の部分がクリーニング組成物の中に沈められるときの（毛のような）くずの改善された沈降にもまた寄与することが、見出されてきた。
【００１６】
それに応じて、本発明は、さらに、沈降の補助としての、すなわち、液における毛の沈降を改善するための、（皮膚から毛を取り除くための装置をクリーニングするための）クリーニング液における、陰イオン性の界面活性剤−特にアルキルベンゼンスルホン酸塩−及び／又は非イオン性の界面活性剤−特にここに述べた非イオン性の界面活性剤−の使用に関する。
【００１７】
さらに、本発明と一致して、クリーニング組成物が、液性の組成物がクリーニングの間に保持されることがある容器の壁への毛の堆積を低減することに又は回避することにさえも寄与することがあることが見出されてきた。
【００１８】
それに応じて、本発明の別の態様は、液及び毛を保持する容器の壁への毛の付着を低減する又は回避するために、（皮膚から毛を取り除くための装置をクリーニングするための）クリーニング液に中における、陰イオン性の界面活性剤−特にアルキルベンゼンスルホン酸塩−及び／又は非イオン性の界面活性剤−特にここに述べた非イオン性の界面活性剤−の使用である。
【００１９】
他に指定されない限り、ここで使用された重量パーセントは、液性の組成物の総重量に基づいたものである。
【００２０】
用語“水性の”は、組成物が主に水からなること、即ち、少なくとも５０重量％の水を含むことを示すために、ここで使用される。通常、水の含有率は、（総重量に基づいた）少なくとも７０重量％、好ましくは少なくとも８０重量％、より好ましくは少なくとも９０重量％である。
【００２１】
通常、水の含有率は、９９．９重量％を超えない。好ましくは、水の含有率は、９９重量％まで、より好ましくは９８重量％までである。
【００２２】
好ましくは、組成物は、本質的に、エタノールの、より好ましくは全てのＣ１−Ｃ３のアルコール類の、無いものであり、いっそうより好ましくは、組成物は、本質的に、エタノール及び室温（約２０℃）で同じ又はより高い燃焼性を有する他の溶媒のような容易に燃焼性の有機溶媒の無いものである。特に、組成物は、本質的に、それの濃度が１重量％を超えない場合に、より詳しくはそれの濃度が０−０．５重量％であるとすれば、いっそうより詳しくはその濃度が０−０．１重量％であるとすれば、溶媒の無いものと考慮される。
【００２３】
上に示したように、組成物は、少なくとも一つのアルキルベンゼンスルホン酸塩を含む。原則として、いずれのアルキルベンゼンスルホン酸塩の界面活性剤又はそれらの混合物が、存在することがある。特に適切なものは、アルキルベンゼンスルホン酸塩であるが、そのアルキルが、１０−６０個の炭素原子、好ましくは１０−１８個の炭素原子、より好ましくは１０−１４個の炭素原子を含有するものである。そのアルキルは、直鎖のもの又は分岐鎖のものであることがある。特に良好な結果は、Ｃ１０−Ｃ１４のアルキルベンゼンスルホン酸塩を含む混合物で達成されてきた。通常、アルキルベンゼンスルホン酸塩は、スルホン酸塩のナトリウム塩である。
【００２４】
アルキルベンゼンスルホン酸塩は、クリーニングの効果を有する他に、毛のような、くずの良好な沈降の挙動を付与するために特に有用なことが見出されてきた。さらに、このような化合物が、液性の組成物がクリーニングの間に保持されることがある容器の壁へのくずの傾向を低減することに寄与することがあることが見出されてきた。アルキルベンゼンスルホン酸塩は、また、芳香剤のような、一つ以上の添加剤の改善された可溶化にも寄与することがある。
【００２５】
アルキルベンゼンスルホン酸塩の濃度は、通常、少なくとも０．０８重量％、好ましくは少なくとも０．４重量％、より好ましくは少なくとも０．５重量％、特に少なくとも０．７５重量％である。
【００２６】
特に、使用する準備のできたものである（即ち、最終使用者による希釈を必要とすることのない）組成物について、アルキルベンゼンスルホン酸塩の濃度は、好ましくは３重量％以下、より好ましくは２重量％以下、いっそうより好ましくは１重量％までである。このように、泡立ちの性質が望ましくは低いものである一方で、良好なクリーニングの性質を、及びくずの沈降に関する通常で有利な挙動を、備えた組成物を提供することは、可能なことが見出されてきた。
【００２７】
好ましくは、一つ以上の非イオン性の界面活性剤は、
−  脂肪族アルコール−Ｎ−ポリ（アルキレン）グリコールエーテル類、ここで、Ｎは、グリコールエーテル部位の数を表し、Ｎは、好ましくは、３−１０、より好ましくは５である；及び
−  アルキルピロリドン類、好ましくは１−（Ｃ６−Ｃ１８）−２−ピロリドン類、より好ましくは１−（オクチル）−２−ピロリドン
：からなる群より選択される。
【００２８】
アルコール−Ｎ−ポリ（アルキレン）グリコールエーテル類の場合には、アルコールは、好ましくは、Ｃ６−Ｃ１２の一価の（イソ）アルコール、より好ましくは（イソ）デカノールである。
【００２９】
非イオン性の界面活性剤の濃度は、通常、少なくとも０．００２重量％、好ましくは少なくとも０．０１重量％である。通常、その濃度は、３重量％まで、特に２重量％以下である。特に、泡立ちの低い傾向を維持するためには、非イオン性の界面活性剤の濃度は、好ましくは、１重量％までである。
【００３０】
特に、本発明に従った組成物を使用する準備のできたものにおいて、非イオン性の界面活性剤の濃度は、好ましくは０．００２重量％から０．２重量％までの範囲に、より好ましくは０．０１から０．１５重量％までの範囲に、ある。
【００３１】
アルコール−Ｎ−ポリ（アルキレン）グリコールエーテルに関して、０．００００８５から０．０５重量％までの濃度は、特にアルキルピロリドンのような少なくとも一つの他の非イオン性の界面活性剤との組み合わせにおいて、特に組成物を使用する準備のできたものにおいて、高度に適切なものと考えられる。アルキルピロリドンに関して、０．０１−０．１重量％の濃度は、特にアルコール−Ｎ−ポリ（アルキレン）グリコールエーテルとの組み合わせにおいて、特に組成物を使用する準備のできたものにおいて、特に有効なことが見出されてきた。
【００３２】
ある実施形態において、液性の組成物は、少なくとも一つのアルキルベンゼンスルホン酸塩及び少なくとも二つの非イオン性の界面活性剤を含む。このような場合には、非イオン性の界面活性剤の少なくとも一つは、好ましくは、アルコール−Ｎ−ポリグリコールエーテル、特に上で定義したようなエーテルのようなもの、である。このような実施形態において、少なくとも一つの他の非イオン性の界面活性剤は、好ましくは、アルキルピロリドン、より好ましくは１−（Ｃ６−Ｃ８）−２−ピロリドン類、いっそうより好ましくは１−（オクチル）−２−ピロリドンである。
【００３３】
少なくとも二つの非イオン性の界面活性剤を含む組成物を使用する準備のできたものにおいて、特に良好な結果が、後に続く表：
表１
【表１】
2008535995.tif 000002
に示したような組成物で達成されてきた。
【００３４】
水、アルキルベンゼンスルホン酸塩、及び非イオン性の界面活性剤に加えて、一つ以上の添加剤が、存在することがある。このような添加剤は、（グリセロールのような）潤滑剤、芳香剤、脂肪を取り除く薬剤、酸化防止剤、着色剤、ＵＶ保護剤、ｐＨ規制剤（特にｐＨ緩衝剤）、及び防腐剤からなる群より選択された化粧用に許容可能な添加剤を含む。それらの適切な例は、当技術において知られたものである。
【００３５】
好ましくは、非油性の潤滑剤が存在する。潤滑剤は、好ましくは、意図された濃度で液性の組成物において溶解する（又は乳化される）べきである。適切な潤滑剤は、グリセロール、ポリエチレングリコール、及び同様のものを含む。特に好適なものは、グリセロールである。グリセロールは、残留物を残すことなく、特に油性の残留物を残すことなく、（切刃のような）装置の毛を取り除く部分を潤滑させることに特に有効なことが見出されてきた。
【００３６】
存在するとすれば、潤滑剤の濃度は、好ましくは、少なくとも０．０１重量％、より好ましくは少なくとも０．１重量％である。その濃度は、好ましくは、１０重量％以下、特に５重量％以下である。これらの範囲内における濃度は、特に、有利な潤滑を提供する一方で、残留物の残ることを回避することに関して好都合なものと考えられる。
【００３７】
適切な脂肪を取り除く薬剤は、（２−メトキシメチルエトキシ）プロパノールのような、アルコキシアルキルアルコキシ−アルコール類を含む。存在するとすれば、その濃度は、少なくとも０．０５重量％であることがある。１重量％までの濃度は、通常、十分である。
【００３８】
存在するとすれば、芳香剤（例．シトロン）の濃度は、０．０１−１重量％の範囲に、特に０．０５−０．８重量％の範囲に、あることがある。
【００３９】
存在するとすれば、防腐剤（例．Ｋａｔｈｏｎ  ＣＧ、ｏ−フェニルフェノール、２−ブロモ−ニトロプロパン−１，３−ジオール、ベンジルアルコール、３−ヨード−２−プロピニル−ブチル−カルバマート、フェノキシエタノール、デヒドロ酢酸、安息香酸、乳酸、ソルビン酸）の濃度は、通常、少なくとも０．０１重量％であり、特に０．０１−５重量％の範囲に、より詳しくは、０．０７−１．１重量％の範囲にある。
【００４０】
ｐＨ規制剤、特に緩衝剤、の存在は、組成物を、存在するとすれば特に防腐剤を、安定化させることを助けることがある。適切な緩衝剤及び濃度は、意図されたｐＨに依存し、そのｐＨは、例えば、本質的に中性のｐＨ（中性のｐＨの値より上の又はより下の１ｐＨ単位までのｐＨ）であることがある。当業者は、有効な量の緩衝剤を備えた組成物をどのように調製するかを知ると思われる。
【００４１】
本発明に従った組成物は、好ましくは、脱塩水（例．蒸留水又は脱イオン水）から作られ、且つ、好ましくは、水道水で調製される組成物（例．最終使用者によって希釈されるものである濃縮物又は水道水で工業的に調製された組成物を使用する準備のできたもの）と比較して、カルシウム、マグネシウム、塩化物及び他の無機陰イオンのような、（アルキルベンゼンスルホン酸塩及び自由選択で添加剤の対イオン以外の）相対的に低い水準の無機イオンを含有する。それによってスケーリングのリスクを低減することができることが見出されてきた。
【００４２】
それに応じて、本発明は、さらに、電動式のパーソナルケア装置を、特に毛を取り除くための装置を、クリーニングするための液性の水性の組成物を調製する方法に関し、その組成物は、少なくとも一つのアルキルベンゼンスルホン酸塩；及び少なくとも一つの非イオン性の界面活性剤を含み、前記の方法は、アルキルベンゼンスルホン酸塩、非イオン性の界面活性剤、及び−存在するとすれば−添加剤と脱塩水を混合することを含む。
【００４３】
今、本発明を、後に続く例によって説明することにする。
【実施例１】
【００４４】
例１
後に続く成分：の一つ以上を含む、数個の組成物を作った。
【００４５】
表２
【表２】
2008535995.tif 000003
後に続く試験を行った：
【００４６】
１）液を、透明度（透過性）について視覚的に評価した。“＋”は、液が（毛を追加した後に）肉眼に対して透明であることを意味する。
【００４７】
２）１００ｍｌの液へ０．１ｇの毛を添加した。液を、少なくとも６分の間における“毛の沈下”（くずの沈降）の性能について視覚的に試験した。“＋”は、毛の沈下の性質が良好であることを示す。
【００４８】
３）毛の沈下の試験を完了した後に、ビーカーを、穏やかに振り動かし、且つ、壁における毛の（最終的な）堆積に得点を付けた。“＋”は、壁に毛を本質的に堆積させないことを示す。
【００４９】
表３
【表３】
2008535995.tif 000004
【００５０】
上の結果から、アルキルベンゼンスルホン酸塩（Ｈ）が、有利な毛の沈下を得るために特に重要なものであることが結論された。非イオン性の界面活性剤のうち、脂肪族アルコールのポリグリコールエーテル（Ｚ）及びアルキルピロリドン（Ｓ）は、特に好都合なものと考えられる。
【実施例２】
【００５１】
例２
下に示したように濃度を変動させることで、直鎖のアルキルベンゼン（Ｈ）及び二つの非イオン性の界面活性剤（Ｚ及びＳ）を含む、液性の組成物を作った。
【００５２】
液を、以下のように試験した：
１）視覚的なもの（Ｖ）：ビーカーにおける１００ｍｌの液へ０．５ｇの毛を添加する前（Ｖ１）に及び添加した後（Ｖ２）に、液が、混濁したもの（＋）か又は澄んだもの（−）かのいずれであるかを確かめた。０．５ｇの毛が、電動式のひげそりを液でクリーニングする場合における毛を伴った液のおよそ毎月の“装填”に対応することを留意すること。
【００５３】
２）毛の沈下（Ｂ）：全ての液について、毛を追加した後の約２時間で、液の表面にいずれの毛も存在した（−）か又はしなかった（＋）ののいずれであるかを確かめた。
【００５４】
３）ビーカーの壁における堆積（Ｗ）：ポイント１からのビーカーを穏やかに振り動かし、且つ、壁における毛の最終的な堆積に得点を付けた。ここで、“−”は、多数の毛が、ビーカーの壁に残されたことを示したのに対して、“＋”は、本質的に、毛が、壁に堆積させられなかったことを意味する。
【００５５】
全ての試験において、“ｎｄ”は、試験の結果を“＋”でマークするべきであるか又は“−”でマークするべきであるかのいずれであるかが、容易に決定可能ではなかったことを示すために使用される。
【００５６】
表４
【表４】
2008535995.tif 000005
重量百分率は、活性な成分、即ち、界面活性剤についてのものである。
【００５７】
上の結果は、組成物が有効なクリーニング組成物であることの他に、本発明に従った組成物が、濃度の幅広い範囲内で、“毛の沈下”及び“壁への堆積”の性質の少なくとも一つを考慮して、有利なものであることを示すことを示す。
【００５８】
視覚的な外観に関しては、本発明が、望まれるとすれば、透明な組成物の配合を可能にすることが観察される。組成物は、毛を添加した後に混濁したものに変ずることがある。使用に先立つ及びそれの後における、異なる外観が、最終使用者によって良好に認識されることがある。
【手続補正書】
【提出日】平成20年5月2日(2008.5.2)
【手続補正１】
【補正対象書類名】特許請求の範囲
【補正対象項目名】全文
【補正方法】変更
【補正の内容】
【特許請求の範囲】
【請求項１】
電動式のパーソナルケア装置を、特に毛を取り除くための装置を、クリーニングするための、少なくとも一つのアルキルベンゼンスルホン酸塩及び少なくとも一つの非イオン性の界面活性剤を含む液性の水性の組成物の使用。
【請求項２】
電動式のパーソナルケア装置を、特に毛を取り除くための装置を、クリーニングするための液性の水性の組成物であって、該組成物は、３重量％までの少なくとも一つのアルキルベンゼンスルホン酸塩；及び３重量％までの少なくとも一つの非イオン性の界面活性剤を含む、液性の組成物。
【請求項３】
前記組成物は、本質的にエタノールの無いものである、請求項２に記載の液性の組成物。
【請求項４】
少なくとも一つの陰イオン性の界面活性剤が、アルキルベンゼンスルホン酸塩からなる群より選択され、該アルキルベンゼンスルホン酸塩において、アルキルは、１０個から６０個までの炭素原子を、好ましくは１０個から１８個までの炭素原子を、より好ましくは１０個から１４個までの炭素原子を、含有する、請求項２又は３に記載の液性の組成物。
【請求項５】
少なくとも一つの非イオン性の界面活性剤が、
−  アルコール−Ｎ−ポリグリコールエーテル類であって、Ｎが、グリコールエーテル部位の数を表し、Ｎが好ましくは３−１０、より好ましくは５であるもの；及び
−  アルキルピロリドン類、好ましくは１−（Ｃ６−Ｃ１８）−２−ピロリドン類、より好ましくは１−（オクチル）−２−ピロリドン：からなる群より選択される、請求項１乃至４のいずれかに記載の液性の組成物。
【請求項６】
前記ポリグリコールエーテルのアルコール部位は、Ｃ６−Ｃ１２の一価の（イソ）アルコール部位、好ましくは（イソ）デカノール部位である、請求項５に記載の液性の組成物。
【請求項７】
少なくとも一つの１−（Ｃ６−Ｃ１８）−２−ピロリドン及び少なくとも一つのイソアルコール−Ｎ−ポリグリコールエーテルを含み、Ｎは、３−１０の範囲にある、請求項４又は５に記載の液性の組成物。
【請求項８】
（グリセロールのような）非油性の潤滑剤、芳香剤、（（アルコキシアルキルアルコキシ）−アルコール類のような）脂肪を取り除く薬剤、及び防腐剤からなる群より選択された少なくとも一つの添加剤を含む、請求項１乃至７のいずれかに記載の液性の組成物。
【請求項９】
アルキルベンゼンスルホン酸塩の濃度は、少なくとも０．０８重量％、好ましくは少なくとも０．４重量％、より好ましくは少なくとも０．７５重量％である、請求項１乃至８のいずれかに記載の液性の組成物。
【請求項１０】
前記非イオン性の界面活性剤の濃度は、少なくとも０．００２重量％、好ましくは少なくとも０．０１重量％、より好ましくは０．０１重量％から０．２重量％までの範囲におけるもの、である、請求項１乃至９のいずれかに記載の液性の組成物。
【請求項１１】
前記水の含有率は、（総重量に基づいた）８０−９９．９重量％の範囲に、好ましくは９０−９９重量％の範囲に、ある、請求項１乃至１０のいずれかに記載の液性の組成物。
【請求項１２】
毛を取り除くための電動式の装置をクリーニングするための方法であって、
−  該装置の毛を取り除く部分を、少なくとも一つのアルキルベンゼンスルホン酸塩及び少なくとも一つの非イオン性の界面活性剤；を含む液性の組成物と接触させること；
−  自由選択で、該装置の毛を取り除く部分を動作させること；並びに
−  該装置の毛を取り除く部分からのくずが、該取り除く部分から解放することを可能にすること、
−  該装置の毛を取り除く部分及び該液性の組成物の接触を終えること
を含む、方法。
【請求項１３】
前記接触せることは、前記液性の組成物に切刃を浸漬させることを伴う、請求項１２に記載の方法。
【請求項１４】
請求項１乃至１０のいずれかに記載の組成物を調製する方法であって、
前記アルキルベンゼンスルホン酸塩、前記非イオン性の界面活性剤、及び、−存在するとすれば、−前記添加剤と脱塩水を混合することを含む、方法。
【請求項１５】
液における毛の沈降を改善するための、クリーニング液における、好ましくは請求項１乃至１４のいずれか一項に定義されたもののような、陰イオン性の界面活性剤及び自由選択で非イオン性の界面活性剤の使用。
【請求項１６】
液及び毛を保持する容器の壁への毛の付着を低減する又は回避するための、クリーニング液における、好ましくは請求項１乃至１５のいずれか一項に定義されたもののような、陰イオン性の界面活性剤及び自由選択で非イオン性の界面活性剤の使用。
【手続補正２】
【補正対象書類名】明細書
【補正対象項目名】０００１
【補正方法】変更
【補正の内容】
【０００１】
本発明は、電動式のパーソナルケア装置を、特に電動式のカミソリを、クリーニングするための組成物の使用に、及び、このような装置をクリーニングするための方法に、関する。
【手続補正３】
【補正対象書類名】明細書
【補正対象項目名】０００６
【補正方法】変更
【補正の内容】
【０００６】
今、これらの目的の一つ以上が、電動式のパーソナルケア装置を、特に毛を取り除くための装置を、クリーニングするための、少なくとも一つのアルキルベンゼンスルホン酸塩及び少なくとも一つの非イオン性の界面活性剤を含む液性の水性の組成物の使用によって達成されることを見出してきた。その組成物は、異なる溶媒を主材料としたものであり、且つ界面活性剤の特異的な組み合わせを含む。
【手続補正４】
【補正対象書類名】明細書
【補正対象項目名】０００７
【補正方法】変更
【補正の内容】
【０００７】
本発明は、さらに、電動式のパーソナルケア装置を、特に毛及び／又は髭を取り除くための装置を、クリーニングするための液性の水性の組成物に関し、その組成物は、３重量％までの少なくとも一つのアルキルベンゼンスルホン酸塩；及び３重量％までの少なくとも一つの非イオン性の界面活性剤を含む。
【手続補正５】
【補正対象書類名】明細書
【補正対象項目名】００１２
【補正方法】変更
【補正の内容】
【００１２】
本発明は、また、電動式のパーソナルケア装置を、特に電動式のカミソリを、クリーニングするための、少なくとも一つの直鎖のアルキルベンゼンスルホン酸塩及び少なくとも一つの非イオン性の界面活性剤を含む水性の液性の組成物の使用に関する。
【手続補正６】
【補正対象書類名】明細書
【補正対象項目名】００１３
【補正方法】変更
【補正の内容】
【００１３】
特に、本発明は、さらに、
−  装置の毛を取り除く部分を、上で定義されたような：少なくとも一つのアルキルベンゼンスルホン酸塩及び少なくとも一つの非イオン性の界面活性剤を含む液性の組成物と接触させること；
−  自由選択で、装置の毛を取り除く部分を動作させること；並びに
−  装置の毛を取り除く部分からのくずが、その取り除く部分から解放することを可能にすること；
−  装置の毛を取り除く部分及び液性の組成物の接触を終えること
を含む、（髭を含む）毛を取り除くための電動式の装置をクリーニングする方法に関する。
【国際調査報告】
2008535995.tif 000006
2008535995.tif 000007
2008535995.tif 000008